(57)【要約】【課題】本発明は効率がさらに向上され、製造工程が減少された太陽電池モジュールを提供する。【解決手段】本発明の太陽電池モジュールは、半導体基板及び互いに異なる極性の第１電極部と第２電極部をそれぞれ備える第１太陽電池及び第２太陽電池と、第１太陽電池と第２太陽電池を電気的に接続する複数のインターコネクタと、複数のインターコネクタを第１太陽電池及び第２太陽電池の該当電極部と電気的に接続する導電性接着剤と、複数のインターコネクタを、該当電極部に仮固定する少なくとも一つの絶縁性接着部を含み、少なくとも一つの絶縁性接着部は、インターコネクタを、該当電極部に接着する接着剤を備える。【選択図】図１
2018174358.tif 000002
【特許請求の範囲】
【請求項１】
半導体基板と互いに異なる極性の第１電極部と第２電極部を前記半導体基板の背面にそれぞれ備える第１太陽電池及び第２太陽電池と、
前記第１太陽電池と、前記第２太陽電池を電気的に接続する複数のインターコネクタと、
前記複数のインターコネクタを前記第１太陽電池及び前記第２太陽電池の当該電極部と電気的に接続する導電性接着剤と、
前記複数のインターコネクタを前記半導体基板の背面に仮固定する少なくとも一つの絶縁性接着部を含み、
前記少なくとも一つの絶縁性接着部は、前記インターコネクタを前記当該電極部に接着する接着剤を備え、
前記第１、第２太陽電池それぞれの半導体基板の背面上に前記複数のインターコネクタが第１方向に延長され、
前記少なくとも一つの絶縁性接着部は、前記複数のインターコネクタと交差する第２方向に延長され、
前記少なくとも一つの絶縁性接着部のそれぞれが前記複数のインターコネクタ全体と交差して、前記複数のインターコネクタを前記半導体基板の背面に仮固定させる、太陽電池モジュール。
【請求項２】
前記絶縁性接着部は、前記接着剤を両面に接着剤をそれぞれ備える両面テープで構成され、前記インターコネクタと前記半導体基板との間に位置する、請求項１に記載の太陽電池モジュール。
【請求項３】
前記絶縁性接着部は、前記接着剤を片面に接着剤を備える片面テープで構成され、前記接着剤が前記半導体基板を向くようにインターコネクタの上に位置する、請求項１に記載の太陽電池モジュール。
【請求項４】
前記第１太陽電池及び前記第２太陽電池は、第１方向に沿って隣り合うようにして位置し、前記複数のインターコネクタは、前記第１方向に延びる、請求項１に記載の太陽電池モジュール。
【請求項５】
前記絶縁性接着部は、前記半導体基板の背面の一方の領域に位置する第１テープと、前記半導体基板の背面の一方の領域と反対側に位置する前記半導体基板の背面の反対側の領域に第２テープを含む、請求項４に記載の太陽電池モジュール。
【請求項６】
前記絶縁性接着部は、前記半導体基板の両側領域の間に位置する第３テープを含む、請求項４又は５に記載の太陽電池モジュール。
【請求項７】
前記第１テープと前記第２テープは、前記第１方向と交差する第２方向に延びるテープで形成される、請求項５に記載の太陽電池モジュール。
【請求項８】
前記絶縁性接着部の幅は、前記インターコネクタの幅より大きい、請求項５に記載の太陽電池モジュール。
【請求項９】
前記絶縁性接着部の幅は、前記インターコネクタの幅と同じか、小さい、請求項５に記載の太陽電池モジュール。
【請求項１０】
前記第１テープと前記第２テープの内の少なくとも一つは、前記第２方向に沿って複数に分割される、請求項７に記載の太陽電池モジュール。
【請求項１１】
前記導電性接着剤は、熱（thermal）または光（light）によって硬化される樹脂（resin）と前記樹脂内に分散された複数の導電性粒子（conductive particle）を含む、請求項４に記載の太陽電池モジュール。
【請求項１２】
前記インターコネクタは、導電性金属からなり、前記導電性金属は、前記絶縁性接着部の接着剤と直接接触する、請求項１１に記載の太陽電池モジュール。
【請求項１３】
前記インターコネクタは、導電性金属と導電性金属の表面にコーティングされたはんだからなり、前記はんだは、前記絶縁性接着部の接着剤と直接接触する、請求項１１に記載の太陽電池モジュール。
【請求項１４】
前記インターコネクタは、導電性金属及び前記導電性金属の表面にコーティングされたはんだ（solder）からなり、前記はんだは、前記導電性接着剤として作用する、請求項４に記載の太陽電池モジュール。
【請求項１５】
前記はんだは、１８０℃以下の溶融温度を有する低融点はんだからなる、請求項１４に記載の太陽電池モジュール。
【請求項１６】
前記第１電極部と前記第２電極部が前記半導体基板の互いに同じ面に位置する、請求項７に記載の太陽電池モジュール。
【請求項１７】
前記第１電極部は、前記第１方向に長く延長された第１フィンガー電極を含み、前記第２電極部は、前記第１方向に長く延長された第２フィンガー電極を含み、前記第１電極部と前記第２電極部は、当該フィンガー電極を物理的及び電気的に接続するバスバー（Busbar）電極を含まないノン-バスバー（non-Busbar）構造で形成される、請求項１６に記載の太陽電池モジュール。
【請求項１８】
前記第１テープ及び前記第２テープの内の少なくとも一つは、前記第１フィンガー電極及び前記第２フィンガー電極の内、少なくとも一つと投影面上で互いに重畳する、請求項１７に記載の太陽電池モジュール。
【請求項１９】
前記第１テープ及び前記第２テープそれぞれは、前記第１フィンガー電極及び前記第２フィンガー電極と投影面上で互いに重畳しない、請求項１７に記載の太陽電池モジュール。
【請求項２０】
前記第１電極部は、前記第２方向に長く延長された第１フィンガー電極を含み、前記第２電極は、前記第２方向に長く延長された第２フィンガー電極を含み、前記第１電極部と前記第２電極部は、当該フィンガー電極を物理的及び電気的に接続するバスバー（Busbar）電極を含まないノン-バスバー（non-Busbar）構造で形成される、請求項１６に記載の太陽電池モジュール。
【請求項２１】
前記複数のインターコネクタの中から、前記第１太陽電池の前記第１フィンガー電極に電気的に接続されるインターコネクタは、前記第１太陽電池の前記第２フィンガー電極と交差する部分に位置する絶縁層によって前記第２フィンガー電極と互いに絶縁され、
前記複数のインターコネクタの中から、前記第１太陽電池の前記第２フィンガー電極に電気的に接続されるインターコネクタは、前記第１フィンガー電極と交差する部分に位置する絶縁層によって前記第１フィンガー電極と互いに絶縁される、請求項２０に記載の太陽電池モジュール。
【請求項２２】
前記第１電極部は、前記第１方向と交差する第２方向に長く延長された第１フィンガー電極を含み、前記第２電極は、前記第２方向に長く延長された第２フィンガー電極を含み、前記第１電極部と前記第２電極部は、当該フィンガー電極を物理的及び電気的に接続するバスバー（Busbar）電極を含まないノン-バスバー（non-Busbar）構造で形成される、請求項２に記載の太陽電池モジュール。
【請求項２３】
前記複数のインターコネクタの中から、前記第１太陽電池の前記第１フィンガー電極に電気的に接続されるインターコネクタは、前記第１太陽電池の前記第２フィンガー電極と交差する部分に位置する、前記絶縁性接着部によって前記第２フィンガー電極と互いに絶縁された状態で接着され、
前記複数のインターコネクタの中から、前記第１太陽電池の前記第２フィンガー電極に電気的に接続されるインターコネクタは、前記第１フィンガー電極と交差する部分に位置する、前記絶縁性接着部によって前記第１フィンガー電極と互いに絶縁された状態で接着される、請求項２２に記載の太陽電池モジュール。
【発明の詳細な説明】
【技術分野】
【０００１】
本発明は、複数の太陽電池を備えた太陽電池モジュールに関する。
【背景技術】
【０００２】
一般的な太陽電池はｐ型とｎ型のように互いに異なる導電型(conductive type)の半導体にそれぞれなる基板（substrate）及びエミッタ（emitter）、そして基板とエミッタにそれぞれ接続された電極を備える。この時、基板とエミッタの界面にはｐ−ｎ接合が形成される。
【０００３】
このような太陽電池に光が入射されると、半導体内部の電子が光電効果（photoelectric effect）によって自由電子（free electron）（以下、「電子」と称する）になり、電子と正孔はｐ−ｎ接合の原理に応じて、ｎ型半導体とp型半導体の方向に、例えば、エミッタと基板の方向にそれぞれ移動する。そして、移動した電子と正孔は、基板及びエミッタに電気的に接続されたそれぞれの電極によって収集される。
【０００４】
一方、近年では、太陽電池の効率を高めるために、半導体基板の受光面に電極を形成することなく、半導体基板の後面に電極を形成した後面接合（interdigitated back contact）太陽電池が開発されている。
【０００５】
そして、太陽電池を複数個接続して電気的に接続するモジュール化技術も開発されているが、モジュール化技術には、複数の太陽電池をリボンまたはクリップの形の配線に電気的に接続する方法などがある。
【発明の概要】
【発明が解決しようとする課題】
【０００６】
本発明の目的は、効率がさらに向上され、製造工程が減少された太陽電池モジュールを提供することである。
【課題を解決するための手段】
【０００７】
本発明の実施の形態に係る太陽電池モジュールは、半導体基板及び異なる極性の第１電極部と第２電極部をそれぞれ備える第１太陽電池及び第２太陽電池と、第１太陽電池と第２太陽電池を電気的に接続する複数のインターコネクタと、複数のインターコネクタを第１太陽電池及び第２太陽電池の対応電極部と電気的に接続する導電性接着剤と、複数のインターコネクタを、当該電極部に仮固定する少なくとも一つの絶縁性接着部を含み、少なくとも一つの絶縁性接着部は、インターコネクタを、当該電極部に接着する接着剤を備える。
【０００８】
一例として、絶縁性接着部は、感圧性接着テープ（pressure sensitive adhesive tape）で有り得る。
【０００９】
したがって、接着剤を備えた絶縁性接着部を用いると、硬化工程によらなくてもインターコネクタを、当該電極部に接着することができる。
【００１０】
絶縁性接着部は、両側に接着剤をそれぞれ備える両面テープからなるか、一方の面に接着剤を備える片面テープで成り得る。
【００１１】
両面テープからなる絶縁性接着部は、インターコネクタと半導体基板との間、またはインターコネクタと当該電極部との間に位置することができる。
【００１２】
そして、片面テープからなる絶縁性接着部は、接着剤が半導体基板を向くようにインターコネクタの上に位置することができ、両面テープからなる絶縁性接着部も片面テープからなる絶縁性接着部と同じ方法で配置することができる。
【００１３】
第１太陽電池及び第２太陽電池は、第１方向に沿って隣り合うように位置することができ、複数のインターコネクタは、第１方向に延長することができる。
【００１４】
この場合、絶縁性接着部は、半導体基板の一方の領域に位置する第２テープと、一方の領域と対向する反対側の領域に位置する第２テープを含むことができ、第１テープと第２テープは、第１方向と交差する第２方向に延長することができる。
【００１５】
さらに、絶縁性接着部は、前述した第１、第２接着部の他に、半導体基板の両側領域の間に位置する第３テープを含むことができる。
【００１６】
ここで、絶縁性接着部の幅は、インターコネクタの幅より大きくすることができ、これと反対に、絶縁性接着部の幅は、インターコネクタの幅と同じか、小さいことも可能である。
【００１７】
そして、第１テープと第２テープの内、少なくとも１つは、第２方向に沿って複数に分割することができる。
【００１８】
導電性接着剤は、熱（thermal）または光（light）によって硬化される樹脂（resin）及び樹脂内に分散された複数の導電性粒子（conductive particle）を含むことができる。
【００１９】
この場合、インターコネクタは、導電性金属からなったり、導電性金属及び導電性金属の表面にコーティングされたはんだでなることができ、インターコネクタが導電性金属からなる場合には、導電性金属が絶縁性接着部の接着剤と直接接触することができ、インターコネクタがはんだを備える場合には、はんだが絶縁性接着部の接着剤と直接接触することができる。
【００２０】
これとは違って、インターコネクタが導電性金属及び導電性金属の表面にコーティングされたはんだ（solder）でなる場合には、別途の導電性接着剤を使用せずにはんだを導電性接着剤として用いることも可能であり、この場合、はんだは１８０℃以下の溶融温度を有する低融点はんだからなることが望ましい。
【００２１】
第１電極部と第２電極部は、半導体基板の互いに同じ面に位置することができる。
【００２２】
この場合、第１電極部は第１方向に長く延長された第１フィンガー電極を含み、第２電極部は、第１方向に長く延長された第２フィンガー電極を含み、第１電極部と第２電極部は、当該フィンガー電極を物理的及び電気的に接続するバスバー（Busbar）電極を含まないノン-バスバー（non-Busbar）構造で形成することができる。
【００２３】
このとき、第１接着部及び第２接着部の内の少なくとも一つは、第１フィンガー電極及び第２フィンガー電極の内、少なくとも一つと投影面上で互いに重畳したり、重畳しないことができる。
【００２４】
これとは違って、第１電極部は第２方向に長く延長された第１フィンガー電極を含み、第２電極は、第２方向に長く延長された第２フィンガー電極を含み、第１電極部と第２電極部は、当該フィンガー電極を物理的及び電気的に接続するバスバー（Busbar）電極を含まないノン-バスバー（non-Busbar）構造で形成することもできる。
【００２５】
このとき、複数のインターコネクタの内において、第１太陽電池の第１フィンガー電極に電気的に接続されるインターコネクタは、第１太陽電池の第２フィンガー電極と交差する部分に位置する絶縁層によって第２フィンガー電極と互いに絶縁されることがあり、第１太陽電池の第２フィンガー電極に電気的に接続されるインターコネクタは、第１フィンガー電極と交差する部分に位置する絶縁層によって第１フィンガー電極と互いに絶縁することができる。
【００２６】
一方、上述したように、フィンガー電極がインターコネクタの延長方向と交差する方向に形成された電極構造を有する太陽電池を用いる場合には、複数のインターコネクタの中から、第１太陽電池の第１フィンガー電極に電気的に接続されるインターコネクタを第１太陽電池の第２フィンガー電極と交差する部分に位置する絶縁性接着部によって、第２フィンガー電極と互いに絶縁された状態で接着することができ、第１太陽電池の第２フィンガー電極に電気的に接続されるインターコネクタは、第１フィンガー電極と交差する部分に位置する絶縁性接着部によって、第１フィンガー電極と互いに絶縁された状態で接着することができる。
【発明の効果】
【００２７】
このような構成の太陽電池モジュールは、別の硬化工程を実施していなくても、室温でインターコネクタを、当該電極部に仮固定することができる絶縁性接着部を備えるので、インターコネクタを、当該電極部に仮固定した状態で複数の太陽電池を積層装備に移送することが可能である。
【００２８】
したがって、インターコネクタを、当該電極部に電気的に接続するためのテビン（tabbing）工程を実施していなくてもラミネート工程を進行するための基板移送の過程中にインターコネクタと当該電極部の整列状態が不良になることを効果的に抑制することができる。
【００２９】
また、ラミネート工程中に太陽電池モジュールに加えられる熱によってインターコネクタと当該電極部が導電性接着剤によって電気的に接合されるテビン工程が行われるようになるので、ラミネート工程を進行するための基板移送過程の前にテビン作業を別途実施する必要はない。したがって、太陽電池モジュールの製造工程を減少することができる。
【００３０】
また、ラミネート工程を進行中インターコネクタと当該電極部のテビン工程が行われるので、ラミネート工程の前に、別のテビン工程を実施する場合に比べて、基板の反り（bowing）現象が発生することを抑制することができる。
【００３１】
また、絶縁性接着部を用いると、インターコネクタを局部的に固定することができるので、半導体基板以上の大きさを有する絶縁基板の一方の面に接着剤を塗布して、複数のインターコネクタを一度にすべてを固定する場合に比べて、材料の使用量を減少することができるので、製造原価を節減することができる。
【００３２】
ここで、絶縁性接着部を用いてインターコネクタを局部的に固定することは、投影面上でインターコネクタの全体ではなく一部だけ絶縁性接着部によって固定することを意味する。
【００３３】
このように、絶縁性接着部は、インターコネクタを局部的な領域で固定することができるので、絶縁性接着部の全体平面積の大きさは、基板の平面積に対して小さいほど良い。
【００３４】
一例として、絶縁性接着部の全体平面積は、基板の平面積に対して０．５倍以下、好ましくは０．２倍を理解し、さらに好ましくは０．１倍以下で有り得る。
【図面の簡単な説明】
【００３５】
【図１】本発明に係る太陽電池モジュールの第１の実施の形態を説明するための図である。
【図２】図１に示した「Ａ」の部分の断面図である。
【図３】図１に示した「Ｂ」の部分の断面図である。
【図４】図１の変形実施の形態を説明するための図である。
【図５】図４に示した「Ｃ」の部分の断面図である。
【図６】図１に示された太陽電池モジュールに適用可能な後面接合太陽電池の一例を説明するための図である。
【図７】図６に示された後面接合太陽電池の後面に絶縁ペーストが塗布された一例を示したものである。
【図８】本発明に係る太陽電池モジュールの第２の実施の形態を説明するための図である。
【図９】図８に示された後面接合太陽電池の後面に絶縁性接着部が接着された状態を示すものである。
【図１０】本発明に係る太陽電池モジュールの第３の実施の形態を説明するための図である。
【図１１】図１０の変形実施の形態を示す図である。
【図１２】図１１に示した「Ｄ」の部分の断面図である。
【図１３】図１とは異なるように絶縁性接着部の数が調整された一例を説明するための図である。
【図１４】図１とは異なるように、絶縁性接着部が第２方向に沿って複数に分割された一例を説明するための図である。
【図１５】本発明に係る太陽電池モジュールの第４の実施の形態を説明するための図である。
【発明を実施するための形態】
【００３６】
本発明は、様々な変更を加えることができ、いくつかの実施の形態を有することができるところ、特定の実施の形態を図面に例示し、詳細な説明に詳細に説明する。これは、本発明を特定の実施の形態について限定するものではなく、本発明の思想及び技術範囲に含まれるすべての変更、均等物乃至代替物を含むものと理解することができる。
【００３７】
本発明を説明するにあたって、第１、第２などの用語は、様々な構成要素を説明するために使用することができるが、前記の構成要素は、前記の用語によって限定されないことがある。前記用語は一つの構成要素を他の構成要素から区別する目的でのみ使用することができる。
【００３８】
例えば、本発明の権利範囲を逸脱しなく、第１の構成要素は、第２の構成要素として命名することができ、同様に第２構成要素も第１構成要素として命名することができる。
【００３９】
「及び/または」という用語は、複数の関連する記載項目の組み合わせまたは複数の関連する記載項目の内のいずれかの項目を含むことができる。
【００４０】
いずれの構成要素が他の構成要素に「接続されて」いるとか「結合されて」いると言及している場合は、その他の構成要素に直接接続されているか、または結合されていることもあるが、中間に他の構成要素が存在することもあると理解することができる。
【００４１】
反対に、いずれの構成要素が他の構成要素に「直接接続されて」いるとか、「直接結合されて」いると言及されている時には、中間に他の構成要素が存在しないことと理解することができる。
【００４２】
本出願において用いられた用語は、単に特定の実施の形態を説明するために用いられたもので、本発明を限定する意図はない。単数の表現は、文脈上明らかに異なるものを意味しない限り、複数の表現を含むことができる。
【００４３】
本出願において、「含む」または「有する」などの用語は、明細書上に記載された特徴、数字、段階、動作、構成要素、部品、またはこれらを組み合わせたものが存在することを指定しようとするものであって、一つまたはそれ以上の他の特徴や数字、段階、動作、構成要素、部品、またはこれらを組み合わせたものの存在または付加可能性をあらかじめ排除しないことと理解することができる。
【００４４】
図で多くの層及び領域を明確に表現するために厚さを拡大して示した。層、膜、領域、板などの部分が他の部分「上に」あると言う時、これは他の部分「真上に」 ある場合だけではなくその中間に他の部分がある場合も含む。反対にいずれの部分が他の部分「真上に」あると言う時には中間に他の部分がないことを意味する。
【００４５】
異なるように定義されない限り、技術的であるか科学的な用語を含めてここで使用されるすべての用語は、本発明が属する技術分野で通常の知識を有する者によって一般的に理解されるものと同じ意味を有することができる。
【００４６】
一般的に使用される辞典に定義されているような用語は、関連技術の文脈上有する意味と一致する意味を有するものと解釈されることがあり、本出願において明白に定義しない限り、理想的であるか、過度に形式的な意味として解釈されないことがある。
【００４７】
さらに、以下の実施の形態は、当業界で平均的な知識を有する者に、より完全に説明するために提供されるものであって、図での要素の形状及び大きさなどは、さらに明確な説明のために誇張することができる。
【００４８】
それでは、図１−図３及び図６及び図７を参考にして、本発明の一実施の形態について説明する。
【００４９】
以下の実施の形態においては、たがいに異なる極性を有する第1電極部と第２電極部がすべて半導体基板の後面に位置する後面接合太陽電池について説明するが、本発明は、ＭＷＴ（Metal Wrap Through）構造の太陽電池にも適用が可能であり、第1電極部と第２電極部が半導体基板の互いに異なる面に位置した通常の片面受光型太陽電池または両面受光型太陽電池にも適用が可能であり、その他の様々な電極構造を有する太陽電池にも適用が可能である。
【００５０】
図１は、本発明に係る太陽電池モジュールの第1の実施の形態を説明するための図であり、図２は図１に示した「Ａ」の部分の断面図であり、図３は図１に示した 「Ｂ」の部分の断面図である。
【００５１】
そして、図６は図１に示された太陽電池モジュールに適用可能な後面接合型太陽電池の一例を説明するための図であり、図７は図６に示された後面接合型太陽電池の後面に絶縁ペーストが塗布された一例を示したものである。
【００５２】
さらに、図１３は、図１とは異なるように絶縁性接着部の数が調整された一例を説明するための図であり、図１４は、図１とは異なるように絶縁性接着部が第２方向に沿って複数に分割された一例を説明するのための図である。
【００５３】
まず、図１に示すように、本発明に第1実施の形態に係る太陽電池モジュールは、第1方向（Ｘ−Ｘ‘）に交互に位置する第１後面接合太陽電池（Ｃ１）と第２後面接合太陽電池（Ｃ２）、互いに隣り合う第１後面接合太陽電池（Ｃ１）と第２後面接合太陽電池（Ｃ２）を電気的に接続するインターコネクタ（ＣＷ１、ＣＷ２）、及び第１ 、２後面接合太陽電池（Ｃ１、Ｃ２）の後面の内、一部の領域に位置する絶縁性接着部（ＡＴ）を含む。
【００５４】
ここで、複数の後面接合太陽電池のそれぞれは、半導体基板１１０、複数の第１フィンガー電極（Ｃ１４１）を含む第１電極部と複数の第２フィンガー電極（Ｃ１４２）を含む第２電極部を備える。そして、第1電極部と第２電極部は、当該フィンガー電極を物理的及び電気的に接続するバスバー（Busbar）電極を含まないノン-バスバー（non-Busbar）構造にそれぞれ形成される。
【００５５】
半導体基板１１０は、結晶シリコンまたは非晶質シリコンを含んで形成されることがあり、このような半導体基板１１０には、入射された光から電気が生成されるようｐ−ｎ接合が形成されることができる。
【００５６】
さらに、第１フィンガー電極（Ｃ１４１）と第２フィンガー電極（Ｃ１４２）は、半導体基板１１０の後面に第１方向（Ｘ−Ｘ ’）に互いに離隔して形成することができる。このような後面接合太陽電池については、以下の図６において、より具体的に説明する。
【００５７】
インターコネクタ（ＣＷ１、ＣＷ２）は、第１、第２、後面接合太陽電池（Ｃ１、Ｃ２）を含む複数の太陽電池を互いに電気的に接続することで、図２及び図３に示すように、銅（Ｃｕ）または銀（Ａｇ）のように導電性に優れた金属で形成された導電性金属、例えば、円形断面形状の導電性ワイヤ（wire）（cw）と導電性ワイヤ（cw）の外面にコーティングされたはんだ（sd）で行われたり、図５に示すように導電性金属でのみ行うことができる。
【００５８】
さらに、図では、インターコネクタ（ＣＷ１、ＣＷ２）がＣＷ１とＣＷ２がそれぞれ６個である場合を一例として示したが、ＣＷ１とＣＷ２それぞれの数は、１０個〜２０個の間に形成することができる。
【００５９】
そして、はんだ（ｓｄ）は、１８０℃以下の溶融温度を有する低融点はんだで行われたり、それ以上の温度で溶融される高融点はんだで行うことができる。
【００６０】
インターコネクタ（ＣＷ１、ＣＷ２）の導電性金属は、通常のリボン（ribbon）のように長方形または四角形の断面形状に形成されることもあり、円形または四角形の断面形状外にも、様々な断面形状に形成することができる。
【００６１】
インターコネクタは、導電性接着剤（ＣＰ）により当該電極に固定及び電気的に接続される。
【００６２】
導電性接着剤（ＣＰ）は、熱（thermal）または光（light）によって硬化される樹脂（resin、ＣＰ１）と樹脂（ＣＰ１）内に分散された複数の導電性粒子（ＣＰ２）を含む導電性ペーストを熱または光によって硬化して形成することができる。
【００６３】
樹脂（ＣＰ１）は硬化工程により接着性を有する材質であれば特に限定されない。ただし接着信頼性を高めるためには、ラミネート工程の温度（約１５０℃前後）より低い温度で硬化される熱硬化性樹脂を用いることが望ましい。
【００６４】
熱硬化性樹脂としては、エポキシ（epoxy）樹脂、フェノキシ（phenoxy）樹脂、アクリル（acryl）樹脂、ポリイミド（polyimide）樹脂、ポリカーボネート（polycarbonate）樹脂の中から選ばれた少なくとも１種以上の樹脂を用いることができる。
【００６５】
樹脂（ＣＰ１）は、熱硬化性樹脂以外の任意成分として、公知の硬化剤及び硬化促進剤を含有することができる。
【００６６】
例えば、樹脂（ＣＰ１）は、当該電極部とインターコネクタの接着性を向上させるために、シラン（silane）系カップリング（coupling）製、チタネート（titanate）系カップリング剤、アルミネート（aluminate）系カップリング剤などの改質材料を含有することができ、導電性粒子（ＣＰ２）の分散性を向上させるために、リン酸カルシウムや炭酸カルシウムなどの分散剤を含有することができる。また、樹脂（ＣＰ１）は弾性率を制御するためにアクリルゴム、シリコーンゴム、ウレタンなどのゴム成分を含有することができる。
【００６７】
そして、導電性粒子（ＣＰ２）は、導電性を有するものであれば、その材料は特に限定されない。導電性粒子（ＣＰ２）は、銅（Ｃｕ）、銀（Ａｇ）、金（Ａｕ）、鉄（Ｆｅ）、ニッケル（Ｎｉ）、鉛（Ｐｂ）、亜鉛（Ｚｎ）、コバルト（Ｃｏ）、チタン（Ｔｉ）及びマグネシウム（Ｍｇ）から選択された１種以上の金属を主成分として含むことができ、金属粒子だけで行われたり、金属被覆樹脂粒子からなることができる。
【００６８】
そして、導電性粒子（ＣＰ２）は、フレーク（flake）形状、バリ（burr）形状、球（sphere）形状など様々な形状に形成することができる。
【００６９】
樹脂（ＣＰ１）が硬化した後の接続信頼性の面において、樹脂（ＣＰ１）内に分散される導電性粒子（ＣＰ２）の配合量は、導電性接着剤（ＣＰ）の全体積に対して０．５体積％〜２０体積％ですることが望ましい。
【００７０】
導電性粒子（ＣＰ２）の配合量が０．５体積％未満であれば、当該電極部との物理的な接点が減少するので、電流の流れが円滑に行われないことがあり、前記配合量が２０体積％を超えると、樹脂（ＣＰ２）の相対的な量が減少して接着強度が低下することがある。
【００７１】
このような構成の導電性接着剤（ＣＰ）は、図３に示すように、当該電極部との電気的接続が要求される領域にのみ局部的に塗布されることもあるが、導電性接着剤（ＣＰ）の塗布位置は、特に制限されない。
【００７２】
すなわち、図１に示した実施の形態を例にとると、インターコネクタの長さ方向（Ｘ−Ｘ′）に沿ってインターコネクタと投影面上で重畳する領域の内、絶縁層（ＩＬ）が形成された領域を除外した残りの領域全体に塗布することもできる。
【００７３】
このような太陽電池モジュールにおいて、第１、第２、後面接合太陽電池（Ｃ１、Ｃ２）は、第１、第２、後面接合太陽電池（Ｃ１、Ｃ２）のそれぞれの第１、第２フィンガー電極（Ｃ１４１、Ｃ１４２）の長さ方向と交差する方向に配列することができる。
【００７４】
一例として、図１に示すように、各後面接合太陽電池（Ｃ１、Ｃ２）の第１、第２フィンガー電極（Ｃ１４１、Ｃ１４２）の長さ方向は、第２方向（Ｙ−Ｙ′）で有り得、第１、第２、後面接合太陽電池（Ｃ１、Ｃ２）は、第１方向（Ｘ−Ｘ′）に配列することができる。
【００７５】
さらに、複数のインターコネクタ（ＣＷ１、ＣＷ２）の長さ方向は、第１、第２、後面接合太陽電池（Ｃ１、Ｃ２）のそれぞれの第１、第２フィンガー電極（Ｃ１４１、Ｃ１４２）の長さ方向（Ｙ−Ｙ′）と交差する方向に形成されることができる。一例として、複数のインターコネクタ（ＣＷ１、ＣＷ２）の長さ方向は、第１方向（Ｘ−Ｘ′）で有り得る。
【００７６】
ここで、複数のインターコネクタ（ＣＷ１、ＣＷ２）は、第１後面接合太陽電池（Ｃ１）の第１フィンガー電極（Ｃ１４１）に接続する第1インターコネクタ（ＣＷ１）と第１後面接合太陽電池（Ｃ１）の第２フィンガー電極（Ｃ１４２）に接続する第２インターコネクタ（ＣＷ２）を含むことができる。
【００７７】
第１、第２、後面接合太陽電池（Ｃ１、Ｃ２）を電気的に接続するために、第１インターコネクタ（ＣＷ１）は、第２後面接合太陽電池（Ｃ２）の第２フィンガー電極（Ｃ１４２）に接続され、第２インターコネクタ（ＣＷ２）は、第２後面接合太陽電池（Ｃ２）の第１フィンガー電極（Ｃ１４１）に接続することができる。
【００７８】
さらに、第1インターコネクタ（ＣＷ１）は、第１後面接合太陽電池（Ｃ１）の第２フィンガー電極（Ｃ１４２）と交差する部分に位置する絶縁層（ＩＬ）によって第１太陽電池（Ｃ１）の第２フィンガー電極（Ｃ１４２）と電気的に絶縁され、第２後面接合太陽電池（Ｃ２）の第１フィンガー電極（Ｃ１４１）と交差する部分に位置する絶縁層（ＩＬ）によって第２太陽電池（Ｃ１）の第１フィンガー電極（Ｃ１４２）と電気的に絶縁することができる。
【００７９】
また、第２インターコネクタ（ＣＷ２）は、第１後面接合太陽電池（Ｃ１）の第１フィンガー電極（Ｃ１４１）と交差する部分に位置する絶縁層（ＩＬ）によって第１太陽電池（Ｃ１）の第１電極（Ｃ１４１）と電気的に絶縁され、第２後面接合太陽電池（Ｃ２）の第２フィンガー電極（Ｃ１４２）と交差する部分に位置する絶縁層（ＩＬ）によって第２太陽電池（Ｃ２）の第２フィンガー電極（Ｃ１４２）と電気的に絶縁することができる。
【００８０】
ここで、絶縁層（ＩＬ）は、熱（thermal）または光（light）によって硬化される樹脂（resin）、例えば、エポキシ（epoxy）のような絶縁性樹脂を含みから形成することができる。
【００８１】
一方、前記においては、複数の後面接合太陽電池を直列接続するためにインターコネクタ（ＣＷ１、ＣＷ２）が互いに隣り合う２つの太陽電池の電極に直接接続される場合を一例として説明したが、これと違ってインターコネクタ（ＣＷ１、ＣＷ２）は、各太陽電池ごとに別に備えることもあり、このような場合、別のインターコネクタ（図示せず）が備えられてもよい。
【００８２】
すなわち、各後部接合太陽電池の後面には、それぞれのインターコネクタ（ＣＷ１、ＣＷ２）が備えられ、各インターコネクタ（ＣＷ１、ＣＷ２）は、別のインターコネクタに接続されて、複数の太陽電池が電気的に接続されることも可能である。
【００８３】
このような絶縁性接着部（ＡＴ）は、複数のインターコネクタ（ＣＷ１、ＣＷ２）を半導体基板１１０の後面に仮固定するために用いられる。
【００８４】
ここで、絶縁性接着部（ＡＴ）は、絶縁性接着へイーストまたは絶縁性粘着テープを用いて形成することができる。
【００８５】
さらに具体的には、絶縁性接着部（ＡＴ）で絶縁性接着へイーストを用いる場合、図１に示すように、半導体基板１１０の後面に複数のインターコネクタ（ＣＷ１、ＣＷ２）を配置した後、絶縁性接着へイースト形の絶縁性接着部（ＡＴ）を塗布した状態で、乾燥して形成するか、または、半導体基板１１０の後面に絶縁性接着へイースト形の絶縁性接着部（ＡＴ）を塗布した状態で、複数のインターコネクタ（ＣＷ１、ＣＷ２）を配置した後、乾燥して形成することができる。
【００８６】
また、絶縁性接着部（ＡＴ）に絶縁性接着テープを用いる場合、絶縁性粘着テープの形を有することができる。以下では、絶縁性粘着テープを用いて、絶縁性接着部（ＡＴ）が形成される場合を一例として説明する。
【００８７】
絶縁性接着部（ＡＴ）が絶縁性粘着テープの形態を有する場合、絶縁性粘着テープは、複数のインターコネクタ（ＣＷ１、ＣＷ２）を半導体基板１１０の後面に仮固定することで、フィルム（ＡＴ−１）及びフィルムの一方の面に位置する接着剤（ＡＴ−２）を含む片面テープで行うことができる。
【００８８】
ここで、接着剤（ＡＴ−２）は、室温（room temperature）でインターコネクタを、当該電極部に接着することができる接着性物質を含むものであり、前記接着剤（ＡＴ−２）が、室温（１℃乃至３５℃）においてインターコネクタを、当該電極部に接着するということは、好ましくは、接着剤を硬化させるための工程を別途必要としないことを意味する。
【００８９】
したがって、接着剤（ＡＴ−２）を備えた絶縁性接着部（ＡＴ）を用いると、硬化工程によらなくてもインターコネクタを、当該電極部に接着することができる。
【００９０】
一例として、絶縁性接着部（ＡＴ１、ＡＴ２）は感圧性接着テープ（pressure sensitive adhesive tape）で有り得る。
【００９１】
さらに具体的一例として、このような絶縁性接着部（ＡＴ）は、熱処理を伴うラミネート工程によって溶けることもあり、溶けないこともある。
【００９２】
絶縁性接着部（ＡＴ）がラミネート工程の内、溶ける材質で形成される場合、絶縁性接着部（ＡＴ）のフィルム（ＡＴ−１）は、polyolefin材質を含んで形成されることがあり、接着剤（ＡＴ−２）は、アクリル、シリコンまたはエポキシの内の少なくともいずれか一つを含んで形成することができる。
【００９３】
また、絶縁性接着部（ＡＴ）がラミネート工程の内、溶けない材質で形成される場合、絶縁性接着部（ＡＴ）のフィルム（ＡＴ−１）は、ＰＥＴ（polyethylene terephthalate）またはＰＩ（polyimide）の内、少なくとも一つの材質を含んで形成されることがあり、接着剤（ＡＴ−２）は、アクリル、シリコンまたはエポキシの内の少なくともいずれか一つを含んで形成することができる。
【００９４】
一方、示さないが、絶縁性接着部（ＡＴ）は、紫外線遮断のための層をさらに含むこともできる。
【００９５】
このような構成の絶縁性接着部（ＡＴ）は、接着剤（ＡＴ−２）が半導体基板を向くようにインターコネクタの上に位置してインターコネクタを仮固定することができる。
【００９６】
したがって、インターコネクタを、当該電極部に電気的に接続するためのテビン（tabbing）工程を実施しなくてもラミネート工程を進行するための基板移送過程中にインターコネクタと当該電極部の整列状態が不良になることを効果的に抑制することができる。
【００９７】
このように、絶縁性接着部（ＡＴ）は、ラミネート工程の前またはテビン工程の前にインターコネクタ（ＣＷ１、ＣＷ２）を局部的に（仮）固定するために用いられる。
【００９８】
ここで、絶縁性接着部を用いてインターコネクタを局部的に固定することは、投影面上でインターコネクタの全体ではなく一部だけ絶縁性接着部によって固定することを意味する。
【００９９】
このように、絶縁性接着部は、インターコネクタを局部的な領域で固定することができるので、絶縁性接着部の全体平面積の大きさは、基板の平面積に対して小さいほど良い。
【０１００】
一例として、絶縁性接着部の全体平面積は、基板の平面積に対して０．５倍以下、好ましくは０．２倍以下、さらに好ましくは０．１倍以下で有り得る。
【０１０１】
前述のように、絶縁性接着部を用いてインターコネクタを局部的に固定すると、半導体基板以上の大きさを有する絶縁基板の一方の面に接着剤を塗布して、複数のインターコネクタを一度に固定する従来の場合に比べて材料の使用量を減らすことができ、ボイド（void）の発生が抑制され、インターコネクタの厚さを増加させることが可能である。
【０１０２】
また、ラミネート工程中に太陽電池モジュールに加えられる熱によってインターコネクタと当該電極部が導電性接着剤によって電気的に接合されるテビン工程が行われるようになりますので、ラミネート工程を進行するための基板移送過程の前にテビン作業を別途実施する必要はない。したがって、太陽電池モジュールの製造工程を減らすことができる。
【０１０３】
また、ラミネート工程を進行する間にインターコネクタと当該電極部のテビン工程が行われるので、ラミネート工程の前に、別のテビン工程を実施する場合に比べて、基板の反り（bowing）現象が発生することを抑制することがことができる。
【０１０４】
本発明人の実験によると、インターコネクタ（ＣＷ１、ＣＷ２）の端部部分からインターコネクタ（ＣＷ１、ＣＷ２）を（仮）固定する場合、ラミネート工程を進行するための移送過程においてインターコネクタを太陽電池に良好に固定することができることが確認できた。
【０１０５】
したがって、本実施の形態において、絶縁性接着部（ＡＴ）は、インターコネクタの長さ方向、すなわち第１方向（Ｘ−Ｘ′）に間隔（Ｄ１）を置いて、半導体基板１１０の両側の領域にそれぞれ配置され、第２方向（Ｙ−Ｙ′）に長く延長された第１テープ（ＡＴ１）及び第２テープ（ＡＴ２）で構成することができる。
【０１０６】
しかし、第１テープ（ＡＴ１）と第２テープ（ＡＴ２）の間のスペースに、少なくとも１つのテープをさらに配置することも可能である。
【０１０７】
一例として、絶縁性接着部（ＡＴ）は、半導体基板１１０の両側領域の間に位置する第３テープ（ＡＴ３）を含むことができる。
【０１０８】
一例として、図１３の（ａ）に示すように、本発明に係る絶縁性接着部（ＡＴ）は、半導体基板１１０の両側領域に位置する第１、第２テープ（ＡＴ１、ＡＴ２）以外に、第１、第２テープ（ＡＴ１、ＡＴ２）間の中央領域に位置する第３テープ（ＡＴ３）をさらに含みから備えられる。
【０１０９】
しかし、これと違って、図１では、絶縁性接着部が各太陽電池の両方の領域に配置される第１、第２テープ（ＡＴ１、ＡＴ２）を含む場合を一例として示したが、図１３の（ｂ）に示ように、インターコネクタ（ＣＷ１、ＣＷ２）を各太陽電池の後面の上に配置した状態で、絶縁性接着部（ＡＴ）を各太陽電池の中の領域に１つだけ配置して、インターコネクタ（ＣＷ１、ＣＷ２）を各太陽電池の後面に仮固定することも可能である。
【０１１０】
ここで、絶縁性接着部（ＡＴ１、ＡＴ２、ＡＴ３）それぞれの幅は、インターコネクタ（ＣＷ１、ＣＷ２）それぞれの幅よりも大きいことが、製造工程中のインターコネクタ（ＣＷ１、ＣＷ２）を仮固定させる面で好ましいが、これと違って、絶縁性接着部（ＡＴ１、ＡＴ２、ＡＴ３）それぞれの幅は、インターコネクタ（ＣＷ１、ＣＷ２）の幅と同じか、小さく形成することも可能である。
【０１１１】
これにより、太陽電池モジュールを製造する際に、ラミネート工程の前にインターコネクタ（ＣＷ１、ＣＷ２）をさらに安定的に固定することができ、太陽電池モジュールの製造工程をさらに容易にすることができる。
【０１１２】
そして、第１テープと（ＡＴ１）と第２テープ（ＡＴ２）の内、少なくとも１つは、第２方向（Ｙ−Ｙ′）に沿って複数に分割することができる。
【０１１３】
一例として、図１４に示すように、第１テープ（ＡＴ１）は、第２方向（Ｙ−Ｙ′）に沿って複数に離隔して分割された第１ａテープ（ＡＴ１−ａ）と第１ｂテープ（ＡＴ１−ｂ）を含んで形成されることがあり、第２テープ（ＡＴ２）も第２方向（Ｙ−Ｙ′）に沿って複数に離隔して分割された第２ａテープ（ＡＴ２−ａ）と第２bテープ（ＡＴ２−ｂ）を含んで形成することができる。
【０１１４】
ここで、第１テープ（ＡＴ１）と第２テープ（ＡＴ２）は、第１インターコネクタ（ＣＷ１）と第２インターコネクタ（ＣＷ２）の全体個数を合計したものと同じ数以内で様々な形で、それぞれ分割構成することができ、第１テープ（ＡＴ１）と第２テープ（ＡＴ２）の数が第1インターコネクタ（ＣＷ１）と第２インターコネクタ（ＣＷ２）の全体個数を合計したものと同じ数で、それぞれ行われる場合には、1つの絶縁性接着部が1つのインターコネクタを仮固定することができる。
【０１１５】
第１テープ（ＡＴ１）と第２テープ（ＡＴ２）は投影面上でフィンガー電極（Ｃ１４１、Ｃ１４２）と、少なくとも一部重畳することができ、全く重畳しないことがある。
【０１１６】
図６を参考にすれば、後面接合太陽電池は、半導体基板１１０、反射防止膜１３０、エミッタ１２１、後面電界部（back surface field; ＢＳＦ、１７２）、第１フィンガー電極（Ｃ１４１）及び第２フィンガー電極（Ｃ１４２）を含むことができる。
【０１１７】
ここで、反射防止膜１３０と後面電界部１７２は省略されることもあるが、以下では、図６に示すように反射防止膜１３０と後面電界部１７２が含まれていることを一例として説明する。
【０１１８】
半導体基板１１０は、第１導電型、例えば、ｎ型導電型のシリコンからなる半導体基板１１０で有り得る。このような半導体基板１１０は、結晶シリコン材質で形成される半導体ウェハに第１導電型の不純物がドーピングされて形成することができる。
【０１１９】
エミッタ１２１は、前面（front surface）と向かい合っている半導体基板１１０の後面（back surface）に互いに離隔して位置し、互いに並行する方向に伸びている。このようなエミッタ１２１は、複数個で有り得、複数のエミッタ１２１は、半導体基板１１０の導電型と反対の第２導電型、例えばｐ型導電型の不純物を含むことができる。
【０１２０】
これにより、半導体基板１１０とエミッタ１２１によってｐ−ｎ接合が形成されることができる。
【０１２１】
後面電界部１７２は、半導体基板１１０の後面に複数個が位置することができ、複数のエミッタ１２１と並行する方向に離隔して形成され、複数のエミッタ１２１と同じ方向に伸びている。
【０１２２】
したがって、図６に示したように、半導体基板１１０の後面には、複数のエミッタ１２１と、複数の後面電界部１７２が交互に位置することができる。
【０１２３】
複数の後面電界部１７２は、半導体基板１１０と同じ導電型の不純物が半導体基板１１０より高濃度で含有する不純物、例えばｎ＋＋部で有り得る。
【０１２４】
複数の第１フィンガー電極（Ｃ１４１）は、エミッタ１２１と、それぞれ物理的及び電気的に接続され、投影面上でエミッタ１２１と同じ位置の半導体基板１１０の後面に形成することができる。
【０１２５】
また、複数の第２フィンガー電極（Ｃ１４２）は、投影面上で複数の後面電界部１７２と同じ位置の半導体基板１１０の後面に形成され、後面電界部１７２を介して半導体基板１１０と、それぞれ物理的及び電気的に接続することができる。
【０１２６】
ここで、半導体基板１１０の後面上で第１フィンガー電極（Ｃ１４１）と第２フィンガー電極（Ｃ１４２）は、互いに物理的及び空間的に離隔して電気的に絶縁することができる。
【０１２７】
ここで、複数の第１フィンガー電極（Ｃ１４１）は、第２方向（Ｙ−Ｙ′）に長く延長することができ、第２方向（Ｙ−Ｙ′）と交差する第１方向（Ｘ−Ｘ′）に互いに離隔して配列することができる。
【０１２８】
そして、複数の第２フィンガー電極（Ｃ１４２）も第２方向（Ｙ−Ｙ′）に長く延長することができ、第２方向（Ｙ−Ｙ′）と交差する第１方向（Ｘ−Ｘ′）に互いに離隔して配列することができる。
【０１２９】
さらに、複数の第１、第２フィンガー電極（Ｃ１４１、Ｃ１４２）は、互いに離隔することができ、第１フィンガー電極（Ｃ１４１）と第２フィンガー電極（Ｃ１４２）が第１方向（Ｘ−Ｘ′）に交互に配置することができる。
【０１３０】
本発明に係る太陽電池モジュールに適用された後面接合太陽電池は、必ず図６に示した構造に限定せず、様々な構造に変更することができる。
【０１３１】
一例として、それぞれの第１、第２フィンガー電極（Ｃ１４１、Ｃ１４２）は、第２方向（Ｙ−Ｙ′）に伸びておらず、第２方向（Ｙ−Ｙ′）に互いに離隔してドットの形で配列されることも可能である。
【０１３２】
そして半導体基板１１０の後面に第２方向（Ｙ−Ｙ′）のいずれかの端に複数の第１フィンガー電極（Ｃ１４１）のすべてと共通に接続するよう第1方向（Ｘ−Ｘ′）に長く延長された第１バスバー電極（図示せず）がさらに備えられることも可能であり、同様に、半導体基板１１０の後面に第２方向（Ｙ−Ｙ′）の残りの一端に複数の第２フィンガー電極（Ｃ１４２）の全てと共通に接続するよう第１方向（Ｘ−Ｘ′）に長く延長された第２バスバー電極（図示せず）がさらに備えられることも可能である。
【０１３３】
図６の後面接合太陽電池において、インターコネクタ（ＣＷ１、ＣＷ２）が、当該電極のみ電気的に接続されるようにするために、図７に示すように、絶縁性ペースト（ＩＬＰ）を塗布することができる。
【０１３４】
例えば、第１、第２インターコネクタ（ＣＷ１、ＣＷ２）を半導体基板１１０の後面に形成された複数の第１フィンガー電極（Ｃ１４１）や複数の第２フィンガー電極（Ｃ１４２）に接続させるために、絶縁性ペースト（ＩＬＰ）は、図７に示すように、第２方向（Ｙ−Ｙ′）に伸びている複数の第１、第２フィンガー電極（Ｃ１４１、Ｃ１４２）上に塗布することができる。
【０１３５】
そして、図１に示すように、第１、第２インターコネクタ（ＣＷ１、ＣＷ２）を、当該電極の後面に整列及び配置し、絶縁性接着部（ＡＴ１、ＡＴ２）を用いて、第１、第２インターコネクタ（ＣＷ１、ＣＷ２）を、当該電極に（仮）固定した後ラミネート工程を実施したり、一部の領域のみ局部的に熱を加えてインターコネクタ（ＣＷ１、ＣＷ２）を、当該電極に接合するテビン工程を行った後、ラミネート工程を実施する。
【０１３６】
ここで、一部領域は、絶縁性接着部（ＡＴ１、ＡＴ２）が配置された位置を除外した残りの領域で有り得、一例として、絶縁性接着部（ＡＴ１、ＡＴ２）間に位置する基板の中心領域で有り得る。
【０１３７】
これと違って、一部領域は、インターコネクタと当該電極が投影面上で互いに重畳する領域で有り得る。
【０１３８】
このように、一部の領域のみ局部的に熱を加えてテビン工程を実施する場合、熱が加えられた領域に位置する導電性接着剤（ＣＰ）が溶融及び硬化されるため、インターコネクタと当該電極が電気的に接合される。
【０１３９】
そして熱が加えられた領域に位置するインターコネクタ（ＣＷ１、ＣＷ２）のはんだ（sd）は、前記熱によって溶融されるが、熱が加えられない領域に位置するインターコネクタ（ＣＷ１、ＣＷ２）のはんだ（sd）は溶融されない。
【０１４０】
したがって、熱が加えられた領域では、インターコネクタ（ＣＷ１、ＣＷ２）が導電性接着剤（ＣＰ）及びはんだ（sd）により当該電極に固定されるとともに、当該電極に電気的に接続される。
【０１４１】
これにより、インターコネクタ（ＣＷ１、ＣＷ２）は電気的に接続されるべき当該電極には導電性接着剤（ＣＰ）及びはんだ（sd）によって固定され、電気的に接続されてはいけない電極には絶縁性ペースト（ＩＬＰ）によって固定される。
【０１４２】
そしてテビン作業を局部的に実施する場合にも、インターコネクタが絶縁性接着部によって物理的に固定されているので、インターコネクタの動きが最小化され、局部的テビン操作によって基板の反り（bowing）現象が抑制される。
【０１４３】
絶縁性接着部（ＡＴ１、ＡＴ２）を用いてインターコネクタを仮固定するとき、インターコネクタが導電性金属（cw）でのみ行われる場合には、導電性金属が絶縁性接着部の接着剤（ＡＴ−２）と直接接触することができ、インターコネクタがはんだ（sd）を備える場合には、はんだ（sd）が絶縁性接着部の接着剤（ＡＴ−２）と直接接触することができる。
【０１４４】
一方、本実施の形態の太陽電池モジュールは、絶縁性接着部（ＡＴ１、ＡＴ２）を使用してインターコネクタを太陽電池の当該電極部に仮固定する状態で、別のテビン工程を行わずに、すぐにラミネート工程を実施することも可能である。
【０１４５】
これについて具体的に説明すると、当該電極とインターコネクタが投影面上で互いに重畳する領域には、図３に示すように導電性接着剤（ＣＰ）が位置しているが、この導電性接着剤（ＣＰ）は、上述のように熱（thermal）または光（light）によって硬化される樹脂（ＣＰ１）及び樹脂内に分散された複数の導電性粒子（ＣＰ２）を含み、特に樹脂（ＣＰ１）は、太陽電池モジュールのラミネート工程の温度（約１５０℃内外）より低い温度で硬化される熱硬化性樹脂で形成される。
【０１４６】
したがって、別のテビン工程を実施していなくてもラミネート工程を進行する間、導電性接着剤（ＣＰ）が硬化されるため、インターコネクタが、当該電極に電気的に接続される。
【０１４７】
そして、導電性接着剤（ＣＰ）を使用しない場合には、インターコネクタのはんだ（sd）を約１８０℃以下の温度で溶融される低融点はんだで形成すると、上述のようにラミネート工程を進行する間、低融点はんだが溶融してはんだ付けされるため、インターコネクタが、当該電極に電気的に接続される。
【０１４８】
したがって、本発明の実施の形態に係る太陽電池モジュールを製造する場合には、テビン工程を別々に実施することもできるが、製造工程を減少させ、生産効率を向上させるためには、ラミネート工程中にテビン工程が行われるようにすることが望ましい。
【０１４９】
そしてラミネート工程中にテビン工程が行われるようにモジュールの製造方法を構成すると、一般的にテビン工程中に発生する太陽電池の反り現象が抑制される。
【０１５０】
以下、図４及び図５を参照して、図１〜図３の変形実施の形態を説明する。本実施の形態を説明するに当たって、前述した図１〜図３の実施の形態と同一の構成要素については、同一の符号を付与し、これに対する詳細な説明は省略する。
【０１５１】
本実施の形態の太陽電池モジュールにおいて、絶縁性接着部（ＡＴ１、ＡＴ２）は、前述した図１〜図３の実施の形態とは異なり、フィルム（ＡＴ−１）の両側に接着剤（ＡＴ−２）を備える。
【０１５２】
したがって、絶縁性接着部（ＡＴ１、ＡＴ２）を半導体基板の後面に付着した後、インターコネクタを当該電極部の上に配列してインターコネクタを仮固定することがありますので、前述した図１〜図３の実施の形態と違って絶縁性接着部（ＡＴ１、ＡＴ２）がインターコネクタと半導体基板の間に位置することができる。
【０１５３】
以下、本発明の第２の実施の形態を説明する。図８は、本発明の第２の実施の形態に係る太陽電池モジュールを説明するための図であり、図９は、図８に示された後面接合型太陽電池の後面に絶縁性接着部が接着された状態を示すものである。
【０１５４】
示したように、本実施の形態の太陽電池モジュールは、両面テープで構成された絶縁性接着部（ＡＴ）が図１〜図３の実施の形態で説明した絶縁層（ＩＬＰ）が位置していた領域に位置する特徴を有する。
【０１５５】
そして、基板の角の方には、別途の絶縁性接着部が位置しない。
【０１５６】
しかし、図１〜図３の実施の形態のように基板の角の方にも絶縁性接着部を位置させることも可能である。
【０１５７】
このような構成の太陽電池モジュールに係り、第１太陽電池（Ｃ１）の第１フィンガー電極（Ｃ１４１）に電気的に接続されるインターコネクタ（ＣＷ１）は、第１太陽電池（Ｃ１）の第２フィンガー電極（Ｃ１４２）と交差する部分に位置する絶縁性接着部（ＡＴ）により、第２フィンガー電極（Ｃ１４２）と、互いに電気的に絶縁された状態で接着され、第１太陽電池（Ｃ１）の第２フィンガー電極（Ｃ１４２）に電気的に接続されるインターコネクタ（ＣＷ２）は、第１フィンガー電極（Ｃ１４１）と交差する部分に位置する絶縁性接着部（ＡＴ）により、第１フィンガー電極（Ｃ１４１）と、互いに電気的に絶縁された状態で接着される。
【０１５８】
したがって、また、別の絶縁層を形成していないながらも、電気的絶縁が必要な領域で電気的絶縁を達成することができるので、前述した第1実施の形態の絶縁層を除去することができ、これにより、製造工程及び製造コストをさらに低減することができる。
【０１５９】
以上では、太陽電池の配列方向及びインターコネクタ（ＣＷ１、ＣＷ２）の長さ方向がフィンガー電極（Ｃ１４１、Ｃ１４２）の長さ方向と交差するように配列された太陽電池モジュールについて説明した。
【０１６０】
しかし、これと違って、太陽電池の配列方向とインターコネクタ（ＣＷ１、ＣＷ２）の長さ方向がフィンガー電極（Ｃ１４１、Ｃ１４２）の長さ方向と同じ方向に配列されるか、または配置されることも可能である。
【０１６１】
このような場合に対して、図１０を参照して説明する。図１０は、本発明に係る太陽電池モジュールの第３の実施の形態を説明するための図である。
【０１６２】
本実施の形態を説明するに当たって、前述した第１実施の形態と同一の構成要素については、同一の符号を付与し、これに対する詳細な説明を省略する。
【０１６３】
図１０の実施の形態において、図面の簡略化のために、インターコネクタ（ＣＷ１、ＣＷ２）は線（line）で表示する。
【０１６４】
本実施の形態に係る太陽電池モジュールは、太陽電池（Ｃ１、Ｃ２）の配列方向とインターコネクタ（ＣＷ１、ＣＷ２）の長さ方向がフィンガー電極（Ｃ１４１、Ｃ１４２）の長さ方向と同じ方向、すなわち、第１方向（Ｘ−Ｘ′）に形成される。
【０１６５】
第１フィンガー電極（Ｃ１４１）と第２フィンガー電極（Ｃ１４２）は、全て第１方向（Ｘ−Ｘ′）に長く延長され、インターコネクタ（ＣＷ１、ＣＷ２）は、第１後面接合太陽電池（Ｃ１）の第１フィンガー電極（Ｃ１４１）と第２後面接合太陽電池（Ｃ２）の第１フィンガー電極（Ｃ１４１）を互いに電気的に接続するか、第１後面接合太陽電池（Ｃ１）の第２フィンガー電極（Ｃ１４２）と第２後面接合太陽電池（Ｃ２）の第２フィンガー電極（Ｃ１４２）を互いに電気的に接続する。
【０１６６】
そして、第１方向（Ｘ−Ｘ′）と交差する第２方向（Ｙ−Ｙ′）に長く延長された第１テープ（ＡＴ１）と第２テープ（ＡＴ２）は、第１方向に間隔（Ｄ２）を置いて、半導体基板１１０の後面に互いに離隔して位置する。
【０１６７】
このとき、第１方向（Ｘ−Ｘ′）に第１テープ（ＡＴ１）及び第２テープ（ＡＴ２）間の間隔（Ｄ２）は、第１フィンガー電極（Ｃ１４１）と第２フィンガー電極（Ｃ１４２）の長さ（Ｌ）より大きく形成されることがあり、絶縁性接着部（ＡＴ１、ＡＴ２）は片面テープまたは両面テープの内、いずれか１つで有り得る。
【０１６８】
このように、第１方向（Ｘ−Ｘ′）に第１テープ（ＡＴ１）と第２テープ（ＡＴ２）間の間隔（Ｄ２）が、第１フィンガー電極（Ｃ１４１）及び第２のフィンガー電極（Ｃ１４２ ）の長さ（Ｌ）より大きく形成されると、第１テープ（ＡＴ１）及び第２テープ（ＡＴ２）それぞれは、第１フィンガー電極（Ｃ１４１）及び第２フィンガー電極（Ｃ１４２）と投影面上で互い重畳しない。したがって、フィンガー電極（Ｃ１４１、Ｃ１４２）と当該インターコネクタ（ＣＷ１またはＣＷ２）の接触面積が増加して、太陽電池モジュールの電荷収集効率が増加する。
【０１６９】
図１１及び図１２は、図１０の変形実施の形態を示す図であり、前述した図１０の第３の実施の形態とは異なり、第１テープ（ＡＴ１）及び第２テープ（ＡＴ２）間の間隔（ Ｄ２）が第１フィンガー電極（Ｃ１４１）及び第２フィンガー電極（Ｃ１４２）の長さ（Ｌ）より小さく形成された場合を示す。
【０１７０】
この場合、第１テープ（ＡＴ１）及び第２テープ（ＡＴ２）の内、少なくとも１つは、投影面上で第１フィンガー電極（Ｃ１４１）及び第２フィンガー電極（Ｃ１４２）の内、少なくとも１つと重畳することができる。
【０１７１】
以上では、絶縁性接着部を用いることを例に挙げて説明したが、テープ以外にも、絶縁性を有する接着剤を用いることも可能である。
【０１７２】
図１５は本発明に係る太陽電池モジュールの第４の実施の形態を説明するための図である。
【０１７３】
本発明の第１の実施の形態においては、インターコネクタ（ＣＷ１、ＣＷ２）それぞれが互いに隣り合う２つの太陽電池の全てに重畳される長さを有してあり、インターコネクタ（ＣＷ１、ＣＷ２）それぞれが、各太陽電池の第１フィンガー電極（Ｃ１４１）または第２フィンガー電極（Ｃ１４２）に接続されている場合を一例として説明した。
【０１７４】
このために、図１においでは、第1インターコネクタ（ＣＷ１）が第1太陽電池（Ｃ１）及び第２太陽電池（Ｃ２）全てに重畳される長さを有してあり、第1インターコネクタ（ＣＷ１）が第１太陽電池（Ｃ１）の第１フィンガー電極（Ｃ１４１）に導電性接着剤（ＣＰ）によって電気的に接続され、第２太陽電池（Ｃ２）の第２フィンガー電極（Ｃ１４２）に導電性接着剤（ＣＰ）によって電気的に接続される場合を一例として説明した。
【０１７５】
しかし、これと違って、図１５に示すように、本発明の第４の実施の形態に係る太陽電池モジュールにおいては、第１、第２インターコネクタ（ＣＷ１、ＣＷ２）それぞれは、１つの太陽電池のみ重畳され導電性接着剤（ＣＰ）を介して接続され、各太陽電池の間に第２方向（Ｙ−Ｙ′）に長く配置されるセル間のコネクタ（ＣＣ）によって第1インターコネクタ（ＣＷ１）と第２インターコネクタ（ＣＷ２）が互いに直列接続することができる。
【０１７６】
さらに具体的には、第1インターコネクタ（ＣＷ１）は、各太陽電池の第１フィンガー電極（Ｃ１４１）に導電性接着剤（ＣＰ）を介して接続され、各太陽電池の第２フィンガー電極（Ｃ１４２）とは絶縁することができる。
【０１７７】
さらに、第２インターコネクタ（ＣＷ２）は、各太陽電池の第２フィンガー電極（Ｃ１４２）に導電性接着剤（ＣＰ）を介して接続され、各太陽電池の第１フィンガー電極（Ｃ１４１）とは絶縁されることができる。
【０１７８】
さらに、セル間のコネクタ（ＣＣ）には、第１太陽電池（Ｃ１）の第１フィンガー電極（Ｃ１４１）に接続された第1インターコネクタ（ＣＷ１）及び第２の太陽電池（Ｃ２）の第２フィンガー電極（Ｃ１４２）に接続された第２インターコネクタ（ＣＷ２）が接続されて、第１太陽電池（Ｃ１）と第２の太陽電池（Ｃ２）が互いに直列接続することができる。
【０１７９】
このような構造を有する太陽電池モジュールにおいてでも絶縁性接着部（ＡＴ１、ＡＴ２）が各太陽電池に接続される複数のインターコネクタ（ＣＷ１、ＣＷ２）を半導体基板１１０の後面に仮固定するために用いられる。
【０１８０】
このとき、一例として、図１５に示すように、絶縁性接着部（ＡＴ１、ＡＴ２）は、各半導体基板の両側の領域にインターコネクタ（ＣＷ１、ＣＷ２）と交差する第２方向（（Ｙ−Ｙ′）に長く配置することができる。
【０１８１】
さらに、このような絶縁性接着部は図１３及び図１４で説明したように、各太陽電池に1つのみ使用することも、第２方向（Ｙ−Ｙ′）に離隔して分割配置されることも可能である。
【図１】
2018174358.tif 000003
【図２】
2018174358.tif 000004
【図３】
2018174358.tif 000005
【図４】
2018174358.tif 000006
【図５】
2018174358.tif 000007
【図６】
2018174358.tif 000008
【図７】
2018174358.tif 000009
【図８】
2018174358.tif 000010
【図９】
2018174358.tif 000011
【図１０】
2018174358.tif 000012
【図１１】
2018174358.tif 000013
【図１２】
2018174358.tif 000014
【図１３】
2018174358.tif 000015
【図１４】
2018174358.tif 000016
【図１５】
2018174358.tif 000017
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
半導体基板と互いに異なる極性の第１電極部と第２電極部をそれぞれ備える第１太陽電池及び第２太陽電池と、
前記第１太陽電池と、前記第２太陽電池を電気的に接続する複数のインターコネクタと、
前記複数のインターコネクタを前記半導体基板の一面に仮固定する少なくとも一つの絶縁性接着部を含み、
前記少なくとも一つの絶縁性接着部は、前記インターコネクタを前記当該電極部に接着する接着剤を備え、
前記第１、第２太陽電池それぞれの半導体基板の一面上に前記複数のインターコネクタが第１方向に延長され、
前記少なくとも一つの絶縁性接着部は、前記複数のインターコネクタと交差する第２方向に延長され、
前記少なくとも一つの絶縁性接着部のそれぞれが前記複数のインターコネクタと交差して、前記複数のインターコネクタを前記半導体基板の一面に仮固定させる、太陽電池モジュール。
【請求項２】
前記絶縁性接着部は、前記接着剤を両面に接着剤をそれぞれ備える両面テープで構成され、前記インターコネクタと前記半導体基板との間に位置する、請求項１に記載の太陽電池モジュール。
【請求項３】
前記絶縁性接着部は、前記接着剤を片面に接着剤を備える片面テープで構成され、前記接着剤が前記半導体基板を向くようにインターコネクタの上に位置する、請求項１に記載の太陽電池モジュール。
【請求項４】
前記第１太陽電池及び前記第２太陽電池は、第１方向に沿って隣り合うようにして位置し、前記複数のインターコネクタは、前記第１方向に延びる、請求項１に記載の太陽電池モジュール。
【請求項５】
前記絶縁性接着部は、前記半導体基板の一面の一方の領域に位置する第１テープと、前記半導体基板の一面の一方の領域と反対側に位置する前記半導体基板の一面の反対側の領域に第２テープを含む、請求項４に記載の太陽電池モジュール。
【請求項６】
前記絶縁性接着部は、前記半導体基板の両側領域の間に位置する第３テープを含む、請求項４又は５に記載の太陽電池モジュール。
【請求項７】
前記第１テープと前記第２テープは、前記第１方向と交差する第２方向に延びるテープで形成される、請求項５に記載の太陽電池モジュール。
【請求項８】
前記絶縁性接着部の幅は、前記インターコネクタの幅より大きい、請求項５に記載の太陽電池モジュール。
【請求項９】
前記絶縁性接着部の幅は、前記インターコネクタの幅と同じか、小さい、請求項５に記載の太陽電池モジュール。
【請求項１０】
前記第１テープと前記第２テープの内の少なくとも一つは、前記第２方向に沿って複数に分割される、請求項７に記載の太陽電池モジュール。
【請求項１１】
前記複数のインターコネクタを前記第１太陽電池及び前記第２太陽電池の当該電極部と電気的に接続する導電性接着剤と、をさらに含み、
前記導電性接着剤は、熱（thermal）または光（light）によって硬化される樹脂（resin）と前記樹脂内に分散された複数の導電性粒子（conductive particle）を含む、請求項４に記載の太陽電池モジュール。
【請求項１２】
前記インターコネクタは、導電性金属からなり、前記導電性金属は、前記絶縁性接着部の接着剤と直接接触する、請求項１１に記載の太陽電池モジュール。
【請求項１３】
前記インターコネクタは、導電性金属と導電性金属の表面にコーティングされたはんだからなり、前記はんだは、前記絶縁性接着部の接着剤と直接接触する、請求項１１に記載の太陽電池モジュール。
【請求項１４】
前記インターコネクタは、導電性金属及び前記導電性金属の表面にコーティングされたはんだ（solder）からなり、前記はんだは、前記導電性接着剤として作用する、請求項１１に記載の太陽電池モジュール。
【請求項１５】
前記はんだは、１８０℃以下の溶融温度を有する低融点はんだからなる、請求項１４に記載の太陽電池モジュール。
【請求項１６】
前記第１電極部と前記第２電極部が前記半導体基板の互いに同じ面に位置する、請求項７に記載の太陽電池モジュール。
【請求項１７】
前記第１電極部は、前記第１方向に長く延長された第１フィンガー電極を含み、前記第２電極部は、前記第１方向に長く延長された第２フィンガー電極を含み、前記第１電極部と前記第２電極部は、当該フィンガー電極を物理的及び電気的に接続するバスバー（Busbar）電極を含まないノン-バスバー（non-Busbar）構造で形成される、請求項１６に記載の太陽電池モジュール。
【請求項１８】
前記第１テープ及び前記第２テープの内の少なくとも一つは、前記第１フィンガー電極及び前記第２フィンガー電極の内、少なくとも一つと投影面上で互いに重畳する、請求項１７に記載の太陽電池モジュール。
【請求項１９】
前記第１テープ及び前記第２テープそれぞれは、前記第１フィンガー電極及び前記第２フィンガー電極と投影面上で互いに重畳しない、請求項１７に記載の太陽電池モジュール。
【請求項２０】
前記第１電極部は、前記第２方向に長く延長された第１フィンガー電極を含み、前記第２電極は、前記第２方向に長く延長された第２フィンガー電極を含み、前記第１電極部と前記第２電極部は、当該フィンガー電極を物理的及び電気的に接続するバスバー（Busbar）電極を含まないノン-バスバー（non-Busbar）構造で形成される、請求項１６に記載の太陽電池モジュール。
【請求項２１】
前記複数のインターコネクタの中から、前記第１太陽電池の前記第１フィンガー電極に電気的に接続されるインターコネクタは、前記第１太陽電池の前記第２フィンガー電極と交差する部分に位置する絶縁層によって前記第２フィンガー電極と互いに絶縁され、
前記複数のインターコネクタの中から、前記第１太陽電池の前記第２フィンガー電極に電気的に接続されるインターコネクタは、前記第１フィンガー電極と交差する部分に位置する絶縁層によって前記第１フィンガー電極と互いに絶縁される、請求項２０に記載の太陽電池モジュール。
【請求項２２】
前記第１電極部は、前記第１方向と交差する第２方向に長く延長された第１フィンガー電極を含み、前記第２電極は、前記第２方向に長く延長された第２フィンガー電極を含み、前記第１電極部と前記第２電極部は、当該フィンガー電極を物理的及び電気的に接続するバスバー（Busbar）電極を含まないノン-バスバー（non-Busbar）構造で形成される、請求項２に記載の太陽電池モジュール。
【請求項２３】
前記複数のインターコネクタの中から、前記第１太陽電池の前記第１フィンガー電極に電気的に接続されるインターコネクタは、前記第１太陽電池の前記第２フィンガー電極と交差する部分に位置する、前記絶縁性接着部によって前記第２フィンガー電極と互いに絶縁された状態で接着され、
前記複数のインターコネクタの中から、前記第１太陽電池の前記第２フィンガー電極に電気的に接続されるインターコネクタは、前記第１フィンガー電極と交差する部分に位置する、前記絶縁性接着部によって前記第１フィンガー電極と互いに絶縁された状態で接着される、請求項２２に記載の太陽電池モジュール。